(57)【要約】【課題】  糸状体を付けた遊技球を用いて不正な操作が行われることを防止する弾球遊技機を提供する。【解決手段】  本発明に係る弾球遊技機は、遊技球Ｘを上部に導くための一対のレール３，４と、レール３の前方に配置される透明板１３１とを備える弾球遊技機において、一対のレール３，４のうち、内側に配置される内レール４は、透明板１３１との間を通過する糸状体Ｙを切断すべく、前方部に切断部４２を備えることを特徴とする。【選択図】  図７
2014018614.tif 000002
【特許請求の範囲】
【請求項１】
遊技球を上部に導くための一対のレールと、レールの前方に配置される透明板とを備える弾球遊技機において、
一対のレールのうち、内側に配置される内レールは、透明板との間を通過する糸状体を切断すべく、前方部に切断部を備えることを特徴とする弾球遊技機。
【請求項２】
内レールは、前方部に凹部を備え、
切断部は、凹部の内部に配置される請求項１に記載の弾球遊技機。
【請求項３】
凹部は、前方に向けて開口が狭くなるように形成される請求項２に記載の弾球遊技機。
【請求項４】
凹部は、内レールに複数設けられ、
切断部は、複数設けられると共に、各凹部にそれぞれ配置される請求項２又は３に記載の弾球遊技機。
【発明の詳細な説明】
【技術分野】
【０００１】
本発明は、弾球遊技機に関し、特に、糸の一端に繋がれた遊技球を用いた不正行為を防止することができる弾球遊技機に関する。
【背景技術】
【０００２】
従来、遊技球の入賞や通過によって遊技者に利益が付与される各種入賞口やゲート等が配設された遊技盤と、遊技盤面に向けて遊技球を発射する発射装置と、弾球遊技機から払い出された遊技球及び／又は遊技球貸出装置から貸し出された遊技球を貯留し発射装置に導く受皿と、発射装置から発射された遊技球を遊技盤面に導くための一対のレールとを備えた弾球遊技機が知られている。
【先行技術文献】
【特許文献】
【０００３】
【特許文献１】特開２０１２−０７１１６５号公報
【０００４】
ところで、斯かる弾球遊技機において、近年、釣糸等の糸状体の一端に繋がれた遊技球（以下、「糸付き遊技球」ともいう）を受皿及び発射装置を介して遊技盤面に至らしめた後、糸状体の他端側を操作することにより、糸付き遊技球を所望の入賞口やゲート等に導き、入賞口やゲート等に糸付き遊技球を何度も入賞／通過させることで、出球を得る不正行為や、糸付き遊技球を遊技盤面上の所望の位置に保持することで、他の遊技球を所望の方向に誘導させるといった不正行為が行われている。
【発明の概要】
【発明が解決しようとする課題】
【０００５】
よって、本発明は、斯かる事情に鑑み、糸付き遊技球を用いた不正行為を防止することができる弾球遊技機を提供することを課題とする。
【課題を解決するための手段】
【０００６】
本発明に係る弾球遊技機は、遊技球を上部に導くための一対のレールと、レールの前方に配置される透明板とを備える弾球遊技機において、一対のレールのうち、内側に配置される内レールは、透明板との間を通過する糸状体を切断すべく、前方部に切断部を備えることを特徴とする。
【０００７】
本発明に係る弾球遊技機によれば、遊技球を上部に導くための一対のレールと、レールの前方に配置される透明板とが設けられている。そして、一対のレールのうち、内側に配置される内レールには、前方部に切断部が設けられているため、内レールと透明板との間を通過する糸状体が切断部に切断される。
【０００８】
また、本発明に係る弾球遊技機において、内レールは、前方部に凹部を備え、切断部は、凹部の内部に配置される構成でもよい。
【０００９】
斯かる構成の弾球遊技機によれば、内レールには、前方部に凹部が設けられているため、糸状体は、凹部を通過する際に、凹部に入ることになる。そして、切断部が凹部の内部に配置されているため、凹部に入った糸状体を切断部で確実に切断することができる。
【００１０】
また、本発明に係る弾球遊技機において、凹部は、前方に向けて開口が狭くなるように形成される構成でもよい。
【００１１】
斯かる構成の弾球遊技機によれば、凹部の開口が前方に向けて狭くなっている。したがって、例えば、糸状体が凹部にひとたび引っ掛かると、この状態を解除することが困難になる。
【００１２】
また、本発明に係る弾球遊技機において、凹部は、内レールに複数設けられ、切断部は、複数設けられると共に、各凹部にそれぞれ配置される構成でもよい。
【００１３】
斯かる構成の弾球遊技機によれば、凹部には、内レールに複数設けられていると共に、各凹部には、切断部がそれぞれ配置されている。これにより、糸状体が透明板と内レールとの間を通過する際に、糸状体が何れかの凹部に入れば、その凹部に設けられる切断部が糸状体を切断する。したがって、より確実に糸状体を切断することができる。
【発明の効果】
【００１４】
以上の如く、本発明に係る弾球遊技機によれば、糸状体を付けた遊技球を用いて不正な操作が行われることを防止するという優れた効果を奏する。
【図面の簡単な説明】
【００１５】
【図１】本発明の一実施形態に係る弾球遊技機の全体斜視図を示す。
【図２】同実施形態に係る弾球遊技機の一部内視の全体正面図を示す。
【図３】同実施形態に係る内レールの要部斜視図を示す。
【図４】同実施形態に係る内レールの要部側面図を示す。
【図５】同実施形態に係る弾球遊技機の要部縦断面図を示す。
【図６】同実施形態に係る弾球遊技機の要部正面図を示す。
【図７】同実施形態に係る弾球遊技機の要部横断面図を示す。
【図８】本発明の他の実施形態に係る内レールの要部斜視図を示す。
【図９】同実施形態に係る内レールの要部側面図を示す。
【図１０】本発明のさらに他の実施形態に係る内レールの要部斜視図を示す。
【図１１】同実施形態に係る内レールの要部側面図を示す。
【図１２】本発明のさらに他の実施形態に係る内レールの要部側面図を示す。
【図１３】本発明のさらに他の実施形態に係る内レールの要部側面図を示す。
【発明を実施するための形態】
【００１６】
以下、本発明に係る弾球遊技機における一実施形態について、図１〜図７を参酌して説明する。
【００１７】
本実施形態に係る弾球遊技機は、図１及び図２に示すように、遊技球Ｘ（図６及び図７参照）が移動する遊技領域２ａを有する遊技盤２と、遊技盤２の外周部を保持する保持枠１１とを備える。また、弾球遊技機は、矩形状に枠組みされ且つ前方側に保持枠１１を開閉自在に取り付ける外枠１２と、遊技盤２及び保持枠１１の前方側に配置され、保持枠１１に開閉自在に取り付けられる扉１３とを備える。
【００１８】
そして、弾球遊技機は、遊技盤２の遊技領域２ａに向けて遊技球Ｘを発射させる発射装置１４と、発射装置１４を操作するためのハンドル１５と、発射装置１４に供給するための遊技球Ｘを貯留する受皿１６とを備える。さらに、弾球遊技機は、電飾用のランプ１７，１７と、効果音を発生させるスピーカ１８，１８とを備える。
【００１９】
扉１３は、遊技盤２を覆うように、遊技盤２の前方に配置される透明板１３１を備える。そして、透明板１３１は、後方に配置される遊技盤２の遊技領域２ａを視認できるように、透明に形成されている。例えば、透明板１３１は、硬質樹脂板やガラス板で構成されている。
【００２０】
遊技盤２には、発射装置１４から発射された遊技球Ｘを遊技領域２ａの上部に導くための一対のレール３，４が設けられている。また、遊技盤２の遊技領域２ａには、遊技球Ｘが通過可能なゲート２１と、遊技球Ｘが入球可能な複数（図２において一つのみ図示している）の入賞口２２と、遊技球Ｘを機内に回収するための回収口２３とが設けられている。
【００２１】
さらに、遊技盤２には、複数の遊技釘２５，…（図６参照）が打設されている。したがって、発射装置１４から発射された遊技球Ｘは、一対のレール３，４により、遊技領域２ａの上部に導かれた後、複数の遊技釘２５，…に衝突を繰り返しつつ、又は、遊技釘２５，２５間を通って下方に落下する。
【００２２】
一対のレール３，４のうち、外側に配置されている外レール３は、遊技領域２ａを囲むように円形状に形成されていると共に、内側に配置されている内レール４は、外レール３との隙間で遊技球Ｘが通過する通路を形成すべく、円弧状に形成されている。
【００２３】
内レール４は、図３〜図５に示すように、板状で且つ円弧状に形成されるレール本体４１と、前方部に配置され、透明板１３１との間を通過する糸状体Ｙ（図６及び図７参照）を切断するための切断部４２と、上端部に配置され、遊技領域２ａに放たれた遊技球Ｘが一対のレール３，４間に戻ることを防止する球戻り防止弁４３とを備える。そして、内レール４は、透明板１３１との間に隙間（遊技球の直径よりも小さい距離、例えば、１．０〜１．５ｍｍ）を有して配置される。
【００２４】
レール本体４１は、透明板１３１との対向部に凹部４１１を備えている。また、レール本体４１は、凹部４１１よりも上方側に配置され且つ遊技盤２の表面と平行な上方前縁部４１２と、凹部４１１よりも下方側に配置され且つ遊技盤２の表面と平行な下方前縁部４１３とを備えている。
【００２５】
そして、レール本体４１は、上方前縁部４１２から凹部４１１に糸状体Ｙをガイドすべく、凹部４１１の上方側に隣接され且つ遊技盤２の表面に対して傾斜する傾斜部４１４を備えている。なお、レール本体４１は、遊技盤２からの突出量が遊技球Ｘの直径よりも大きくなるように形成されている。また、レール本体４１は、本実施形態において、硬質樹脂で形成されている。
【００２６】
凹部４１１は、前方に向けて開口が狭くなるように形成されている。具体的には、凹部４１１は、上縁部４１１ａと下縁部４１１ｂとが前方に行くに従って接近するように、形成されている。より具体的には、凹部４１１の下縁部４１１ｂは、前方に行くに従って、上方へ向かうように傾斜して形成されている。また、凹部４１１の側縁部４１１ｃは、遊技盤２の表面や透明板１３１と平行になるように配置されている。そして、凹部４１１は、レール本体４１の中央部から少し上方側の位置に配置されている。
【００２７】
上方前縁部４１２は、透明板１３１と平行となるように配置されていると共に、下方前縁部４１３は、透明板１３１と平行となるように配置されている。また、傾斜部４１４は、下方に行くに従って、後方へ向かうように傾斜して形成されている。そして、傾斜部４１４は、下方に行くに従って、透明板１３１と離間距離が大きくなるように配置されている。
【００２８】
切断部４２は、先端が鋭利に形成され且つ凹部４１１の下縁部４１１ｂに沿って直線状に形成される第１の切断刃４２１と、先端が鋭利に形成され且つ凹部４１１の側縁部４１１ｃに沿って直線状に形成される第２の切断刃４２２とを備えている。そして、切断部４２は、レール本体４１の凹部４１１の内部に配置されている。
【００２９】
また、切断部４２は、遊技盤２の表面からの距離が遊技球Ｘの直径Ａよりも大きくなるように、配置されていると共に、透明板１３１との離間距離Ｂが遊技球Ｘの半径Ｃよりも小さくなるように、配置されている。なお、切断部４２は、本実施形態において、金属で形成されている。具体的には、例えばインサート成形により、板状の金属材がレール本体４１に埋め込められ、凹部４１１から露出している金属材の部分で、切断部４２が構成されている。
【００３０】
本実施形態に係る弾球遊技機の構成については以上の通りであり、次に、本実施形態に係る弾球遊技機の作用について、図６及び図７を参酌して説明する。
【００３１】
糸付き遊技球は、発射装置１４から発射されると、一対のレール３，４間を通って、遊技領域２ａに突入する。そして、糸状体Ｙは、内レール４の上端部に引っ掛かった状態となる。その後、遊技球Ｘを所望の位置に導くために、糸状体Ｙにおける他端側（遊技球Ｘに繋がった一端側とは反対側）が操作されると、遊技球Ｘの自重と糸状体Ｙの引っ張り力とが作用することで、糸状体Ｙに張力が生じる。また、それに伴って、糸状体Ｙは、内レール４の前方側に移動し、内レール４と透明板１３１との間を落下する。
【００３２】
ここで、弾球遊技機において、各レール３，４の遊技盤２からの突出高さは、遊技球Ｘを遊技領域２ａに導くという機能上、遊技球Ｘの直径よりも大きく設定されている。加えて、遊技機本体（弾球遊技機自身）は、遊技球Ｘが表面（遊技盤面）を落下する際に、透明板１３１への衝突を抑制するように、上側が下側より後方に傾斜するように設置されている。したがって、張力が生じた糸状体Ｙは、内レール４、具体的には、レール本体４１の前方部（上方前縁部４１２、傾斜部４１４）に接触した状態で落下することになる。
【００３３】
そして、糸状体Ｙは、透明板１３１と内レール４との間をさらに落下すると、凹部４１１に自然に引っ掛かり、図６に示すように、凹部４１１の内部に位置する。また、遊技球Ｘを遊技釘２５，２５で保持するために、糸状体Ｙがさらに引かれると、図７に示すように、糸状体Ｙは、第２の切断刃４２２に接触する。
【００３４】
このとき、第２の切断刃４２２と透明板１３１との離間距離が遊技球Ｘの半径よりも小さく設定されているため、糸状体Ｙは、張力を有した状態で、第２の切断刃４２２に接触することになる。そして、凹部４１１に引っ掛かった糸状体Ｙは、第２の切断刃４２２に切断される。このようにして、糸付き遊技球を用いた不正行為を未然に防止することができる。
【００３５】
以上より、本実施形態に係る弾球遊技機は、遊技球Ｘを上部に導くための一対のレール３，４と、レール３，４の前方に配置される透明板１３１とを備える弾球遊技機において、一対のレール３，４のうち、内側に配置される内レール４は、透明板１３１との間を通過する糸状体Ｙを切断すべく、前方部に切断部４２を備える。
【００３６】
これにより、本実施形態に係る弾球遊技機によれば、遊技球Ｘを上部に導くための一対のレール３，４と、レール３，４の前方に配置される透明板１３１とが設けられている。そして、一対のレール３，４のうち、内側に配置される内レール４には、前方部に切断部４２が設けられているため、内レール４と透明板１３１との間を通過する糸状体Ｙが切断部４２に切断される。したがって、糸付き遊技球を用いて不正な操作が行われることを防止できる。
【００３７】
また、本実施形態に係る弾球遊技機において、内レール４は、前方部に凹部４１１を備え、切断部４２は、凹部４１１の内部に配置されている。
【００３８】
これにより、本実施形態に係る弾球遊技機によれば、内レール４には、前方部に凹部４１１が設けられているため、糸状体Ｙは、凹部４１１を通過する際に、凹部４１１に入ることになる。そして、切断部４２が凹部４１１の内部に配置されているため、凹部４１１の内部に入った糸状体Ｙを切断部４２で確実に切断することができる。また、遊技店員による清掃等の際に、遊技店員の手が内レール４に接触しても、手が切断部４２に接触することを抑制できる。
【００３９】
また、本実施形態に係る弾球遊技機において、凹部４１１は、前方に向けて開口が狭くなるように形成されている。
【００４０】
これにより、本実施形態に係る弾球遊技機によれば、凹部４１１の開口が前方に向けて狭くなっている。したがって、糸状体Ｙが凹部４１１にひとたび引っ掛かると、この状態を解除することが困難になる。
【００４１】
また、本実施形態に係る弾球遊技機において、切断部４２は、透明板１３１との離間距離Ｂが遊技球Ｘの半径Ｃよりも小さくなるように、配置されている。
【００４２】
これにより、本実施形態に係る弾球遊技機によれば、切断部４２と透明板１３１との離間距離Ｂが遊技球Ｘの半径Ｃよりも小さい。したがって、糸状体Ｙが引かれた際に、糸状体Ｙが切断部４２に確実に接触するため、糸状体Ｙを切断部４２で確実に切断することができる。
【００４３】
なお、本発明に係る弾球遊技機は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４４】
上記実施形態に係る弾球遊技機において、内レール４は、切断部４２を一つ備える構成であるが、内レール４は、斯かる構成に限られない。例えば、本発明に係る弾球遊技機において、内レール４は、複数の切断部４２，…を備える構成でもよい。
【００４５】
弾球遊技機では、遊技結果への影響度の大きいゲート２１や入賞口２２の位置が機種により様々であるため、糸付き遊技球を導きたい所望の位置も機種によって異なる。そして、この所望の位置により、糸状体Ｙと内レール４との接触位置は、異なることになる。したがって、内レール４に複数の凹部４１１や切断部４２が設けられることで、内レール４を前記所望の位置の異なる複数の機種で共用したとしても、不正行為に対する高い防止効果が得られる。
【００４６】
また、内部に切断部４２を有する凹部４１１が内レール４に複数設けられた場合には、糸付き遊技球の糸状体Ｙが透明板１３１と内レール４との間を落下する過程で、糸状体Ｙが何れかの凹部４１１に引っ掛かれば、その凹部４１１に設けられる切断部４２が糸状体Ｙを切断する。したがって、より確実に糸状体Ｙを切断することができる。
【００４７】
また、上記実施形態に係る弾球遊技機において、第２の切断刃４２２が糸状体Ｙを切断する場合を説明したが、斯かる場合に限られない。例えば、上記実施形態に係る弾球遊技機において、第１の切断刃４２１が糸状体Ｙを切断する場合でもよい。
【００４８】
また、上記実施形態に係る弾球遊技機において、切断部４２は、凹部４１１の下縁部４１１ｂに沿って直線状に形成される第１の切断刃４２１と、凹部４１１の側縁部４１１ｃに沿って直線状に形成される第２の切断刃４２２とを備える構成であるが、切断部４２は、斯かる構成に限られない。
【００４９】
例えば、本発明に係る弾球遊技機において、図８及び図９に示すように、切断部４２は、凹部４１１の側縁部４１１ｃに沿って配置される一対の板状部４２３，４２４を備える構成でもよい。斯かる構成によれば、一対の板状部４２３，４２４の隙間に移動した糸状体Ｙは、板状部４２３，４２４の端面のエッジで切断される。
【００５０】
さらに、本発明に係る弾球遊技機において、図１０及び図１１に示すように、切断部４２は、凹部４１１の下縁部４１１ｂに沿って直線状に配置される第１の切断刃４２１と、凹部４１１の側縁部４１１ｃに沿って鋸歯状に形成される第２の切断刃４２２とを備える構成でもよい。
【００５１】
また、上記実施形態に係る弾球遊技機において、切断部４２は、凹部４１１の内部に配置される構成であるが、切断部４２は、斯かる構成に限られない。例えば、本発明に係る弾球遊技機において、図１２に示すように、切断部４２は、レール本体４１から前方に突出する構成でもよい。
【００５２】
また、上記実施形態に係る弾球遊技機において、内レール４は、レール本体４１と切断部４２とが別部材で形成される構成であるが、内レール４は、斯かる構成に限られない。例えば、本発明に係る弾球遊技機において、内レール４は、レール本体４１と切断部４２とが同じ部材、例えば、同じ金属板から形成される構成でもよい。
【００５３】
また、本発明に係る弾球遊技機において、図１３に示すように、内レール４（レール本体４１）は、凹部４１１の前方部に、内方に突出して糸状体Ｙを掛止する掛止部４１１ｄ，４１１ｅを備える構成でもよい。そして、第１の掛止部４１１ｄは、上縁部４１１ａから下方に向けて突出している一方、第２の掛止部４１１ｅは、下縁部４１１ｂから上方に向けて突出している。
【００５４】
斯かる構成によれば、糸状体Ｙが凹部４１１の内部に位置すると、各掛止部４１１ｄ，４１１ｅが糸状体Ｙを掛止するため、糸状体Ｙが凹部４１１の外部に移動することを防止できる。しかも、各掛止部４１１ｄ，４１１ｅが鉤状に形成されているため、さらに、糸状体Ｙが凹部４１１の外部に移動させることを防止できる。
【符号の説明】
【００５５】
３…外レール、４…内レール、４２…切断部、１３１…透明板、４１１…凹部、Ｘ…遊技球、Ｙ…糸状体
【図１】
2014018614.tif 000003
【図２】
2014018614.tif 000004
【図３】
2014018614.tif 000005
【図４】
2014018614.tif 000006
【図５】
2014018614.tif 000007
【図６】
2014018614.tif 000008
【図７】
2014018614.tif 000009
【図８】
2014018614.tif 000010
【図９】
2014018614.tif 000011
【図１０】
2014018614.tif 000012
【図１１】
2014018614.tif 000013
【図１２】
2014018614.tif 000014
【図１３】
2014018614.tif 000015